(57)【要約】【課題】輝度むらを低減でき、かつ高出力な光源装置を提供する。【解決手段】光源装置１００は、第１出射光Ｌ１を出射する第１発光素子１１と、第２出射光Ｌ２を出射する第２発光素子１２と、第１出射光Ｌ１により照射される第１領域２１および第２出射光Ｌ２により照射される第２領域２２を有する基板２０と、基板２０に形成され、第１出射光Ｌ１および第２出射光Ｌ２により励起されて発光する蛍光発光部３０と、を含み、蛍光発光部３０は、第１領域２１と第２領域２２とが重なる領域内にのみ形成されている。【選択図】図２
2011165547.tif 000002
【特許請求の範囲】
【請求項１】
第１出射光を出射する第１発光素子と、
第２出射光を出射する第２発光素子と、
前記第１出射光により照射される第１領域および前記第２出射光により照射される第２領域を有する基板と、
前記基板に形成され、前記第１出射光および前記第２出射光により励起されて発光する蛍光発光部と、
を含み、
前記蛍光発光部は、前記第１領域と前記第２領域とが重なる領域内にのみ形成されている、光源装置。
【請求項２】
請求項１において、
前記第１発光素子と前記第２発光素子とは、前記基板の前記蛍光発光部の形成された設置面側から平面視して、前記蛍光発光部に関して対称な位置に配置されている、光源装置。
【請求項３】
請求項２において、
前記第１発光素子と前記設置面との間の距離と、前記第２発光素子と前記設置面との間の距離とは、異なっている、光源装置。
【請求項４】
請求項１ないし３のいずれか１項において、
前記発光素子は、発光ダイオードである、光源装置。
【請求項５】
請求項１ないし４のいずれか１項に記載の光源装置と、
前記光源装置から出射された光を画像情報に応じて変調する光変調装置と、
前記光変調装置によって形成された画像を投射する投射装置と、
を含む、プロジェクター。
【発明の詳細な説明】
【技術分野】
【０００１】
本発明は、光源装置およびプロジェクターに関する。
【背景技術】
【０００２】
プロジェクターや照明装置などの光源用の光源装置として、高い発光効率を有しかつ小型化が可能な発光ダイオードや半導体レーザー等の発光素子を用いた光源装置が期待されている。このような光源装置では、例えば、複数の発光素子を２次元的に配列し、複数の発光素子から出射される出射光を照明光として用いることで、高出力化を図っている。
【０００３】
しかしながら、発光素子の個体差等により複数の発光素子の出射光の強度を揃えることが難しいため、このような光源装置では、均一な光強度分布を有する照明光が得られずに輝度むらが生じてしまうという問題がある。このような問題に対して、例えば、特許文献１に記載の光源装置は、面状に配置された複数の発光ダイオードからの光を混合して光強度分布を均一にする導光路ブロックを用いて、輝度むらを低減している。
【先行技術文献】
【特許文献】
【０００４】
【特許文献１】特開２００７−３１１３５７号公報
【発明の概要】
【発明が解決しようとする課題】
【０００５】
本発明のいくつかの態様に係る目的の１つは、輝度むらを低減でき、かつ高出力な光源装置を提供することにある。また、本発明のいくつかの態様に係る目的の１つは、上記光源装置を有するプロジェクターを提供することにある。
【課題を解決するための手段】
【０００６】
本発明に係る光源装置は、
第１出射光を出射する第１発光素子と、
第２出射光を出射する第２発光素子と、
前記第１出射光により照射される第１領域および前記第２出射光により照射される第２領域を有する基板と、
前記基板に形成され、前記第１出射光および前記第２出射光により励起されて発光する蛍光発光部と、
を含み、
前記蛍光発光部は、前記第１領域と前記第２領域とが重なる領域内にのみ形成されている。
【０００７】
このような光源装置によれば、蛍光発光部は、第１出射光により照射される第１領域および第２出射光により照射される第２領域が重なる領域内にのみ形成されている。したがって、第１出射光および第２出射光の各々が、蛍光発光部全体を発光させることにより、照明光を得ることができる。そのため、２つの発光素子の出射光を直接照明光として用いた場合と比べて、第１出射光および第２出射光の強度の違いが照明光の光強度分布に与える影響を小さくすることができ、光強度分布が均一化された照明光を得ることができる。したがって、このような光源装置によれば、複数の発光素子を用いて高出力化を図りつつ、輝度むらを低減することができる。
【０００８】
本発明に係る光源装置において、
前記第１発光素子と前記第２発光素子とは、前記基板の前記蛍光発光部の形成された設置面側から平面視して、前記蛍光発光部に関して対称な位置に配置されていることができる。
【０００９】
このような光源装置によれば、蛍光発光部を対称性よく照射することができる。したがって、照明光の光強度分布をより均一にすることができる。
【００１０】
本発明に係る光源装置において、
前記第１発光素子と前記設置面との間の距離と、前記第２発光素子と前記設置面との間の距離とは、異なっていることができる。
【００１１】
このような光源装置によれば、第１発光素子と第２発光素子とを、より離れた位置に配置することができるため、放熱性を高めることができる。
【００１２】
本発明に係る光源装置において、
前記発光素子は、発光ダイオードであることができる。
【００１３】
このような光源装置によれば、装置の小型化を図りつつ、蛍光発光部をより均一に照射することができる。
【００１４】
本発明に係るプロジェクターは、
本発明に係る光源装置と、
前記光源装置から出射された光を画像情報に応じて変調する光変調装置と、
前記光変調装置によって形成された画像を投射する投射装置と、
を含む。
【００１５】
このようなプロジェクターによれば、光源装置が高出力かつ輝度むらを低減することができるため、高輝度で輝度むらの少ない画像を得ることができる。
【図面の簡単な説明】
【００１６】
【図１】本実施形態に係る光源装置を模式的に示す平面図。
【図２】本実施形態に係る光源装置を模式的に示す断面図。
【図３】本実施形態の第１変形例に係る光源装置を模式的に示す断面図。
【図４】本実施形態の第２変形例に係る光源装置を模式的に示す断面図。
【図５】本実施形態の第３変形例に係る光源装置を模式的に示す断面図。
【図６】本実施形態の第４変形例に係る光源装置を模式的に示す断面図。
【図７】本実施形態の第５変形例に係る光源装置を模式的に示す断面図。
【図８】本実施形態係るプロジェクターを模式的に示す図。
【発明を実施するための形態】
【００１７】
以下、本発明の好適な実施形態について、図面を参照しながら説明する。
【００１８】
１．  光源装置
まず、本実施形態に係る光源装置について、図面を参照しながら説明する。図１は、本実施形態に係る光源装置１００を模式的に示す平面図である。図２は、光源装置１００を模式的に示す図１のＩＩ−ＩＩ線断面図である。なお、図２では、便宜上、発光素子支持部４０の図示を省略している。
【００１９】
光源装置１００は、図１および図２に示すように、複数の発光素子（第１発光素子１１、第２発光素子１２、第３発光素子１３、第４発光素子１４、第５発光素子１５、第６発光素子１６、第７発光素子１７、第８発光素子１８）と、基板２０と、蛍光発光部３０と、を含む。光源装置１００は、さらに、発光素子支持部４０を含むことができる。
【００２０】
第１発光素子１１は、図１および図２に示すように、第１出射光Ｌ１を出射し、第２発光素子１２は、第２出射光Ｌ２を出射する。同様に、第３〜第８発光素子１３〜１８は、それぞれ第３〜第８出射光Ｌ３〜Ｌ８を出射する。出射光Ｌ１〜Ｌ８は、基板２０に形成された蛍光発光部３０に照射され、蛍光発光部３０を励起させて発光させる。蛍光発光部３０は、出射光Ｌ３〜Ｌ８により励起されて蛍光光Ｌ３０を発する。
【００２１】
出射光Ｌ１〜Ｌ８は、例えば、波長変換効率のよい青色や近紫外光などの短波長の光である。発光素子１１〜１８としては、例えば、発光ダイオード（ＬＥＤ：Light Emitting Diode）を用いることができる。これにより、装置の小型化を図ることができる。さらに、発光ダイオードは、他の固体光源と比べて照射領域が広いため、蛍光発光部３０の全体を均一に照射することができる。なお、発光素子１１〜１８としては、発光ダイオードに限定されず、例えば、半導体レーザーを用いてもよい。
【００２２】
発光素子１１〜１８は、発光素子支持部４０に支持されて、基板２０の上方に配置されている。図示の例では、８つの発光素子１１〜１８が配置されているが、その数は限定されない。図２に示すように、第１発光素子１１と基板２０の設置面２との間の距離Ｈ１と、第２発光素子１２と基板２０の設置面２との間の距離Ｈ２とは、等しい。図示はしないが、同様に、第１〜第８発光素子１１〜１８と設置面２との間の距離は、等しい。
【００２３】
発光素子１１〜１８は、図１に示すように、設置面２側から平面視して、蛍光発光部３０に対して回転対称な位置に配置されている。すなわち、発光素子１１〜１８は、設置面２側から平面視して、蛍光発光部３０を囲むように等間隔に配置されている。
【００２４】
図示の例では、第１発光素子１１と第２発光素子１２とは、設置面２側から平面視して、蛍光発光部３０に関して対称に配置されている。第３発光素子１３と第４発光素子１４とは、設置面２側から平面視して、蛍光発光部３０に関して対称に配置されている。第５発光素子１５と第６発光素子１６とは、設置面２側から平面視して、蛍光発光部３０に関して対称に配置されている。第７発光素子１７と第８発光素子１８とは、設置面２側から平面視して、蛍光発光部３０に関して対称に配置されている。
【００２５】
このように光源装置１００では、発光素子１１〜１８が対称性よく配置されているため、蛍光発光部３０を対称性よく照射することができる。したがって、複数の発光素子が対称性よく配置されていない場合と比べて、蛍光発光部３０が発する蛍光光Ｌ３０の強度分布をより均一にすることができる。
【００２６】
第１出射光Ｌ１の光軸Ｌ１ａと第２出射光Ｌ２の光軸Ｌ２ａとは、図２に示すように、蛍光発光部３０の中心で交わっている。このように、出射光Ｌ１〜Ｌ８の光軸は、蛍光発光部３０の中心で交わることが望ましい。これにより、蛍光発光部３０を効率よく照射することができる。
【００２７】
基板２０としては、例えば、アルミなどの金属からなる平板を用いることができる。基板２０は、蛍光発光部３０が形成された設置面２を有する。基板２０は、図示の例では、設置面２側から見て、円形である。発光素子１１〜１８から出射された出射光Ｌ１〜Ｌ８は、図１に示すように、設置面２に照射される。設置面２は、第１出射光Ｌ１により照射される第１領域２１と、第２出射光Ｌ２により照射される第２領域２２と、を有する。さらに、設置面２は、第３〜第８出射光Ｌ３〜Ｌ８の各々により照射される領域（第３領域２３、第４領域２４、第５領域２５、第６領域２６、第７領域２７、第８領域２８）を有する。すなわち、設置面２は、第１〜第８出射光Ｌ１〜Ｌ８により、第１〜第８領域２１〜２８に区画されている。
【００２８】
蛍光発光部３０は、設置面２上に形成されている。蛍光発光部３０は、図示の例では、設置面２側から見て円形であるが、その形状は特に限定されない。蛍光発光部３０は、図１に示すように、第１領域２１〜第８領域２８が重なる領域内にのみ形成されている。すなわち、蛍光発光部３０は、蛍光発光部３０を励起させる光の強度が大きい領域内にのみ形成されている。したがって、蛍光発光部３０の量を減らして低コスト化を図りつつ、効率的に蛍光発光部３０を発光させることができる。
【００２９】
蛍光発光部３０は、出射光Ｌ１〜Ｌ８により励起されて発光する。蛍光発光部３０を励起させて得られる蛍光光Ｌ３０は、照明光として、外部を照明する。蛍光発光部３０は、例えば、出射光Ｌ１〜Ｌ８により励起されて発光する蛍光体、および蛍光体を分散させるための樹脂またはガラスで構成されている。
【００３０】
蛍光光Ｌ３０の色は、蛍光体を励起させる光の色（波長）と、蛍光体の組成との組み合わせにより決定される。すなわち、出射光Ｌ１〜Ｌ８の色（波長）に応じて蛍光体の組成を変えることで蛍光光Ｌ３０の色を制御することができる。蛍光体の組成の一例として、以下のものを挙げることができる。
【００３１】
出射光Ｌ１〜Ｌ８が青色の場合、蛍光光Ｌ３０が赤色となる蛍光体の組成の例としては、（Ｃａ，Ｓｒ）２Ｓｉ５Ｎ８：Ｅｕ、（Ｃａ，Ｓｒ）ＡｌＳｉＮ３：Ｅｕ、ＣａＳｉＮ２：Ｅｕを挙げることができる。出射光Ｌ１〜Ｌ８が青色の場合、蛍光光Ｌ３０が緑色となる蛍光体の組成の例としては、ＺｎＳ：Ｃｕ，Ａｌ、ＳｒＧａ２Ｓ４：Ｅｕ、（Ｂａ，Ｓｒ）２ＳｉＯ４：Ｅｕ、ＳｒＡｌ２Ｏ４：Ｅｕ、（Ｓｉ，Ａｌ）６（Ｏ，Ｎ）８：Ｅｕを挙げることができる。出射光Ｌ１〜Ｌ８が青色の場合、蛍光光Ｌ３０が黄色となる蛍光体の組成の例としては、Ｙ３Ａｌ５Ｏ１２：Ｃｅ（ＹＡＧ系）、ＣａＧａ２Ｓ４：Ｅｕ、ＳｒＳｉＯ４：Ｅｕを挙げることができる。
【００３２】
出射光Ｌ１〜Ｌ８が近紫外光の場合、赤色の光を発光する蛍光体の組成の例としては、Ｙ２Ｏ２Ｓ：Ｅｕ、３．５ＭｇＯ・０．５ＭｇＦ２・ＧｅＯ２：Ｍｎを挙げることができる。出射光Ｌ１〜Ｌ８が近紫外光の場合、蛍光光Ｌ３０が青緑色となる蛍光体の組成の例としては、ＢａＭｇＡｌ１０Ｏ１７：Ｅｕ，Ｍｎ、ＬａＡｌ（ＳｉＡｌ）６Ｎ９Ｏ：Ｃｅを挙げることができる。出射光Ｌ１〜Ｌ８が近紫外光の場合、蛍光光Ｌ３０が青色となる蛍光体の組成の例としては、（Ｃａ，Ｓｒ）５（ＰＯ４）３Ｃｌ：Ｅｕ、Ｓｒ２Ｐ２Ｏ７：Ｅｕ、ＢａＭｇＡｌ１０Ｏ１７：Ｅｕを挙げることができる。
【００３３】
また、上述した組成の蛍光体を混合して蛍光発光部３０を形成することにより、複数の色の蛍光光Ｌ３０を発光させて、所望の色の光を得てもよい。例えば、出射光Ｌ１〜Ｌ８が近紫外光の場合、蛍光光Ｌ３０が赤色となる蛍光体、蛍光光Ｌ３０が青色となる蛍光体、および蛍光光Ｌ３０が緑色となる蛍光体を所定の割合で混合して蛍光発光部３０を形成することにより、白色の光を得ることができる。
【００３４】
発光素子支持部４０は、例えば、基板２０上に形成されている。発光素子支持部４０は、図１に示すように、設置面２側から平面的に見て、蛍光発光部３０を囲むように形成されている。
【００３５】
光源装置１００は、例えば、ディスプレイ、照明装置、後述するプロジェクターなどの光源に適用されることができる。
【００３６】
光源装置１００は、例えば、以下の特徴を有する。
【００３７】
光源装置１００によれば、蛍光発光部３０は、出射光Ｌ１〜Ｌ８の照射領域２１〜２８が重なる領域内にのみ形成されている。したがって、出射光Ｌ１〜Ｌ８の各々が蛍光発光部３０全体を発光させることにより照明光を得ることができる。そのため、複数の発光素子の出射光を直接照明光として用いた場合と比べて、出射光Ｌ１〜Ｌ８の強度の違いが照明光の光強度分布に与える影響を小さくすることができ、光強度分布が均一化された照明光を得ることができる。したがって、光源装置１００によれば、複数の発光素子を用いて高出力化を図りつつ、輝度むらを低減することができる。
【００３８】
光源装置１００によれば、複数の発光素子１１〜１８が設けられていることができる。そのため、複数の出射光Ｌ１〜Ｌ８を照射することで、蛍光発光部３０を励起させるための光（１次光）の強度を高めることができる。したがって、１つの発光素子で１次光の強度を高める場合と比べて、各発光素子１１〜１８の出力を上げることなく１次光の強度を高めることができる。これにより、発光素子１１〜１８の発熱を抑え、各発光素子１１〜１８を効率良く発光させることができる。そのため、光源装置１００によれば、高出力化を図りつつ、装置全体の効率化を図ることができる。
【００３９】
２．  光源装置の変形例
次に、本実施形態の変形例に係る光源装置について、図面を参照しながら説明する。以下、本実施形態の変形例に係る光源装置において、本実施形態に係る光源装置１００の構成部材と同様の機能を有する部材については同一の符号を付し、その詳細な説明を省略する。
【００４０】
（１）第１変形例に係る光源装置
まず、本実施形態の第１変形例に係る光源装置２００について、図面を参照しながら説明する。図３は、光源装置２００を模式的に示す断面図であり、図２に対応している。なお、図３では、便宜上、発光素子支持部４０の図示を省略している。
【００４１】
光源装置１００の例では、図２に示すように、第１発光素子１１と設置面２との間の距離Ｈ１と、第２発光素子１２と設置面２との間の距離Ｈ２とは、等しい。これに対し、光源装置２００では、図３に示すように、第１発光素子１１と設置面２との間の距離Ｈ１と、第２発光素子１２と設置面２との間の距離Ｈ２とは、異なっていることができる。したがって、第１発光素子１１と第２発光素子１２とを、より離れた位置に配置することができるため、放熱性を高めることができる。
【００４２】
また、光源装置２００は、図３に示すように、設置面２から距離Ｈ１の位置に複数の発光素子（第１発光素子１１，第９発光素子２１１）を配置し、設置面２から距離Ｈ２の位置に複数の発光素子（第２発光素子１２，第１０発光素子２１２）を配置することができる。したがって、光源装置１００の例と比べて、より多くの発光素子を配置することができる。
【００４３】
（２）第２変形例に係る光源装置
次に、本実施形態の第２変形例に係る光源装置３００について、図面を参照しながら説明する。図４は、光源装置３００を模式的に示す断面図であり、図２に対応している。なお、図４では、便宜上、発光素子支持部４０の図示を省略している。
【００４４】
光源装置１００の例では、図１に示すように、設置面２は平坦な面であった。これに対し、光源装置３００では、図４に示すように、設置面２は、凹面であることができる。これにより、蛍光発光部３０を凹面形状に形成することができるため、蛍光発光部３０を励起させて得られる照明光の配光を、設置面２が平坦な場合と比べて、集束させることができる。
【００４５】
（３）第３変形例に係る光源装置
次に、本実施形態の第３変形例に係る光源装置４００について、図面を参照しながら説明する。図５は、光源装置４００を模式的に示す断面図であり、図２に対応している。なお、図５では、便宜上、発光素子支持部４０の図示を省略している。
【００４６】
光源装置１００の例では、図１に示すように、設置面２は平坦な面であった。これに対し、光源装置４００では、図４に示すように、設置面２は、逆円錐状であることができる。これにより、光源装置３００の例と同様に、蛍光発光部３０を凹面形状に形成することができるため、設置面２が平坦な場合と比べて、照明光の配光を集束させることができる。
【００４７】
（４）第４変形例に係る光源装置
次に、本実施形態の第４変形例に係る光源装置５００について、図面を参照しながら説明する。図６は、光源装置５００を模式的に示す断面図であり、図２に対応している。なお、図６では、便宜上、発光素子支持部４０の図示を省略している。
【００４８】
光源装置１００の例では、図１に示すように、設置面２は平坦な面であった。これに対し、光源装置５００では、図６に示すように、設置面２は、凸面であることができる。これにより、蛍光発光部３０を凸面形状に形成することができるため、設置面２が平坦な場合と比べて、照明光の配光を発散させることができる。
【００４９】
（５）第５変形例に係る光源装置
次に、本実施形態の第５変形例に係る光源装置６００について、図面を参照しながら説明する。図７は、光源装置６００を模式的に示す断面図であり、図２に対応している。なお、図７では、便宜上、発光素子支持部４０の図示を省略している。
【００５０】
光源装置１００の例では、図１に示すように、設置面２は平坦な面であった。これに対し、光源装置６００では、図７に示すように、設置面２は、円錐形状であることができる。これにより、光源装置５００と同様に、蛍光発光部３０を凸面形状に形成することができるため、設置面２が平坦な場合と比べて、照明光の配光を発散させることができる。
【００５１】
３．  プロジェクター
次に、本実施形態に係るプロジェクター１０００について、図面を参照しながら説明する。図８は、プロジェクター１０００を模式的に示す図である。なお、図８では、便宜上、プロジェクター１０００を構成する筐体は省略している。
【００５２】
プロジェクター１０００は、赤色光、緑色光、青色光を出射する赤色光源１００Ｒ，緑色光源１００Ｇ、青色光源１００Ｂを有する。
【００５３】
赤色光源１００Ｒとしては、赤色光を発する蛍光発光部３０を備えた、本発明に係る光源装置（以下の例では、光源装置１００）を用いることができる。緑色光源１００Ｇとしては、緑色光を発する蛍光発光部３０を備えた光源装置１００を用いることができる。青色光源１００Ｂとしては、青色の光を出射する発光素子を用いてもよいし、発光素子から出射された近紫外光によって、青色光を発する蛍光発光部３０を備えた光源装置１００を用いてもよい。
【００５４】
プロジェクター１０００は、光源１００Ｒ，１００Ｇ，１００Ｂから出射された光をそれぞれ画像情報に応じて変調する透過型の液晶ライトバルブ（光変調装置）１００４Ｒ，１００４Ｇ，１００４Ｂと、液晶ライトバルブ１００４Ｒ，１００４Ｇ，１００４Ｂによって形成された像を拡大してスクリーン（表示面）１０１０に投射する投射レンズ（投射装置）１００８と、を備えている。また、プロジェクター１０００は、液晶ライトバルブ１００４Ｒ，１００４Ｇ，１００４Ｂから出射された光を合成して投写レンズ１００８に導くクロスダイクロイックプリズム（色光合成手段）１００６を備えていることができる。
【００５５】
さらに、プロジェクター１０００は、光源１００Ｒ，１００Ｇ，１００Ｂから出射された光の照度分布を均一化させるため、各光源１００Ｒ，１００Ｇ，１００Ｂよりも光路下流側に、均一化光学系１００２Ｒ，１００２Ｇ，１００２Ｂを設けており、これらによって照度分布が均一化された光によって、液晶ライトバルブ１００４Ｒ，１００４Ｇ，１００４Ｂを照明している。均一化光学系１００２Ｒ，１００２Ｇ、１００２Ｂは、例えば、ホログラム１００２ａおよびフィールドレンズ１００２ｂによって構成される。
【００５６】
各液晶ライトバルブ１００４Ｒ，１００４Ｇ，１００４Ｂによって変調された３つの色光は、クロスダイクロイックプリズム１００６に入射する。このプリズムは４つの直角プリズムを貼り合わせて形成され、その内面に赤色光を反射する誘電体多層膜と青色光を反射する誘電体多層膜とが十字状に配置されている。これらの誘電体多層膜によって３つの色光が合成され、カラー画像を表す光が形成される。そして、合成された光は投写光学系である投射レンズ１００６によりスクリーン１０１０上に投写され、拡大された画像が表示される。
【００５７】
プロジェクター１０００によれば、光源装置１００が高出力かつ輝度むらを低減できるため、高輝度で輝度むらの少ない画像を得ることができる。
【００５８】
なお、上述の例では、光変調装置として透過型の液晶ライトバルブを用いたが、液晶以外のライトバルブを用いてもよいし、反射型のライトバルブを用いてもよい。このようなライトバルブとしては、例えば、反射型の液晶ライトバルブや、デジタルマイクロミラーデバイス（Digital Micromirror Device）が挙げられる。また、投射光学系の構成は、使用されるライトバルブの種類によって適宜変更される。
【００５９】
なお、上述した実施形態および変形例は一例であって、これらに限定されるわけではない。例えば、実施形態および各変形例を適宜組み合わせることも可能である。
【００６０】
上記のように、本発明の実施形態について詳細に説明したが、本発明の新規事項および効果から実体的に逸脱しない多くの変形が可能であることは当業者には容易に理解できよう。従って、このような変形例はすべて本発明の範囲に含まれるものとする。
【符号の説明】
【００６１】
１１  第１発光素子、１２  第２発光素子、１３  第３発光素子、１４  第４発光素子、
１５  第５発光素子、１６  第６発光素子、１７  第７発光素子、１８  第８発光素子、
２０  基板、２１  第１領域、２２  第２領域、２３  第３領域、２４  第４領域、
２５  第５領域、２６  第６領域、２７  第７領域、２８  第８領域、
３０  蛍光発光部、４０  発光素子支持部、
１００，２００，３００，４００，５００，６００  光源装置、
１０００  プロジェクター、１００２  均一化光学系、１００２ａ  ホログラム、
１００２ｂ  フィールドレンズ、１００４  液晶ライトバルブ、
１００６  クロスダイクロイックプリズム、１００８  投写レンズ、
１０１０  スクリーン
【図１】
2011165547.tif 000003
【図２】
2011165547.tif 000004
【図３】
2011165547.tif 000005
【図４】
2011165547.tif 000006
【図５】
2011165547.tif 000007
【図６】
2011165547.tif 000008
【図７】
2011165547.tif 000009
【図８】
2011165547.tif 000010